(57)【要約】      （修正有）【課題】椅子本体の支持枠への支承体の取り付け作業が容易で、しかも支承体を支持枠に取り付けた状態では、合成樹脂等の弾性部材で形成される支承体の柔軟性を損なわず、且つ荷重による支承体の変形に伴う支持枠と支承体との締結部分の負担を軽減することができる椅子の支承体取付構造を提供する。【解決手段】弾性部材から成る支承体としての座板１２を一方向にスライドさせ、座板１２の前側一辺を取付孔１７を介してボルト等の締結により座枠に固着保持すると共に、残りの左右後側三辺を、座板１２の裏面側から下方に突出するＬ字形の外方向に開口された４つの係止片１２ａ、ｂで座枠の係合部材を挟持するように保持することで、座板１２を座枠に取り付け、着座したときの荷重により係止片１２ａ、ｂが下方向且つ座板１２の中心方向に移動するようにした。【選択図】図４
2014042652.tif 000002
【特許請求の範囲】
【請求項１】
合成樹脂等の弾性部材で形成される座板や背板等の支承体を、椅子本体の支持枠に取り付ける椅子の支承体取付構造であって、
前記支承体は、全体が略矩形の板状に形成され、その一辺側を締結手段により前記支持枠に固着保持し、残りの三辺側を、該支承体の裏面側から突出する略Ｌ字形の外方向に開口された係止部材で前記支持枠の係合部材を挟持するように保持することで、前記支承体を前記支持枠に取り付けることを特徴とする椅子の支承体取付構造。
【請求項２】
前記係止部材と対向する前記支承体の表面には、切欠部が穿設されていることを特徴とする請求項１に記載の椅子の支承体取付構造。
【請求項３】
前記支承体は、一方向にスライドさせることにより前記係止部材の少なくとも１つが前記係合部材に当接し、これにより前記支承体の前記支持枠に対する取付位置が規定されることを特徴とする請求項１又は請求項２に記載の椅子の支承体取付構造。
【請求項４】
前記係合部材は、略矩形の平板状に形成され、前記係止部材と係合する側がテーパー状に形成されていることを特徴とする請求項３に記載の椅子の支承体取付構造。
【請求項５】
前記椅子は座跳ね上げ式の椅子とし、前記支承体は前記座板とし、
前記三辺側のうちの何れか一辺側の前記係合部材は、該座跳ね上げ式の椅子の前記支持枠を構成する横幅方向に延在する略コの字形の横座枠の内向きに突出する折返片としたことを特徴とする請求項１乃至請求項４の何れか１項に記載の椅子の支承体取付構造。
【発明の詳細な説明】
【技術分野】
【０００１】
本発明は、座や背凭れ等の支承体を、椅子本体の支持枠に取り付ける椅子の支承体取付構造に関し、さらに詳しくは、支承体に合成樹脂等の弾性部材で形成される座板や背板を有する椅子の支承体取付構造に関する。
【背景技術】
【０００２】
座や背凭れ等の支承体を椅子本体の支持枠に取り付ける場合、支持枠に支承体を宛がい、座や背凭れに設けられる座板や背板を、支持枠に穿設した取付孔を介してねじ等で螺着して取り付けるのが一般的である。
【０００３】
この場合、座り心地を良くするため、座板や背板が柔軟性のある合成樹脂等の弾性部材で形成されていると、着座して支承体の中心付近に体重の相当部分が印加されたとき、座板や背板が支持枠に対して撓曲変形し、ねじ等で螺着した支持枠と支承体との締結部分に応力が集中して、この締結部分が破損してしまう虞がある。
【０００４】
そこで、このような問題点を解決するため、特許文献１に示す技術が提案されている。この特許文献１の技術は、背板には、背板の左右上部に大径孔とこれに続いて上方に連設した小径長孔とからなる係合孔と、背板の左右下部に円弧状の膨出部と該膨出部の直下に穿設された嵌合孔とが設けられ、一方支持枠には、支持枠の左右上部に係合突起と、支持枠の左右下部に上向きに開口する嵌合溝を有する包持片とが設けられている。
【０００５】
そして、背板の大径孔に支持枠の係合突起を挿入すると共に、背板の嵌合孔を支持枠の包持片に引っ掛け、次いで背板を押し下げて、背板の小径長孔に支持枠の係合突起を挿入すると共に、背板の膨出部を支持枠の嵌合溝に圧嵌し、これにより背凭れ（支承体）を椅子本体の支持枠に取り付けるようになっている。
【先行技術文献】
【特許文献】
【０００６】
【特許文献１】特開２００１−１２８７８５号公報
【発明の概要】
【発明が解決しようとする課題】
【０００７】
しかしながら、特許文献１の技術は、上述したように支承体の支持枠への取り付け方法が煩雑な作業となり、また、着座して支承体が支持枠に対して撓曲変形すると、包持片に嵌合された膨出部が回動することにより、係合突起は、小径長孔内で上下方向に移動するものの、包持片が嵌合孔に左右方向に係止されているので小径長孔内で左右方向の移動ができず、従って、支承体は上下方向に移動できても左右方向に移動できない構成となっている。
【０００８】
即ち、特許文献１の技術は、着座して支承体が支持枠に対して撓曲変形したとき、支承体は上下方向の一方向にしか移動できないので、このような構成の特許文献１の技術では、支持枠と支承体との締結部分が破損してしまうことを防止するには不十分であると共に、支承体の弾性変形による柔軟性を十分に発揮できずに座り心地が低下してしまうという問題点がある。
【０００９】
本発明は、上記したような問題点に鑑みなされたもので、その目的とするところは、椅子本体の支持枠への支承体の取り付け作業が容易で、しかも支承体を支持枠に取り付けた状態では、合成樹脂等の弾性部材で形成される支承体の柔軟性を損なわず、且つ荷重による支承体の変形に伴う支持枠と支承体との締結部分の負担を軽減することができる椅子の支承体取付構造を提供することにある。
【課題を解決するための手段】
【００１０】
このような問題を解決するために、本発明の椅子の支承体取付構造は、合成樹脂等の弾性部材で形成される座板や背板等の支承体（座板１２）を、椅子本体の支持枠（座枠１３）に取り付ける椅子（椅子１）の支承体取付構造であって、前記支承体は、全体が略矩形の板状に形成され、その一辺側を締結手段（タッピングネジ２４）により前記支持枠に固着保持し、残りの三辺側を、該支承体の裏面側から突出する略Ｌ字形の外方向に開口された係止部材（係止片１２ａ、ｂ）で前記支持枠の係合部材（係合突片２０ａ、折返片２１ａ）を挟持するように保持することで、前記支承体を前記支持枠に取り付けることを要旨とする。
【００１１】
従って、このように構成される本発明においては、使用者が椅子に着座して支承体がその中心方向に引っ張られるように撓曲変形しても、係止部材は下（座板の場合）又は後（背板の場合）方向且つ支承体の中心方向（辺と直交する方向及び辺に沿った方向）に支承体が支持枠から外れない程度に移動して柔軟に保持されるので、その結果、支承体と支持枠との締結部分に応力が集中して、この締結部分が破損してしまうことを防止することができると共に、支承体の弾性変形による柔軟性を十分に発揮でき、使用者は快適な着座感を得ることができるという極めて顕著な効果を奏する。
【００１２】
また、請求項２に記載の発明は、請求項１に記載の椅子の支承体取付構造において、前記係止部材と対向する前記支承体の表面には、切欠部（切欠部１６ａ、ｂ）が穿設されていることを要旨とする。従って、このように構成される本発明においては、支承体に荷重が印加されたときの係止部材の移動が容易となり、つまり切欠部は、係止部材の移動をスムースにして支承体の弾性変形を補助する機能を有している。その結果、支承体の弾性変形による柔軟性をさらに発揮でき、使用者の着座感をさらに向上させることができる。
【００１３】
また、請求項３に記載の発明は、請求項１又は請求項２に記載の椅子の支承体取付構造において、前記支承体は、一方向にスライドさせることにより前記係止部材の少なくとも１つが前記係合部材に当接し、これにより前記支承体の前記支持枠に対する取付位置が規定されることを要旨とする。
【００１４】
つまり、本発明においては、係止部材の少なくとも１つは、支承体を支持枠に取り付けるときの位置決め手段としての機能も兼ね備えている。従って、このように構成される本発明においては、支持枠への支承体の取り付け作業が極めて容易となり、一方向にスライドさせるだけのワンタッチで支承体を支持枠に取り付けることが可能になる。
【００１５】
また、さらに支持枠への支承体の取り付け作業を容易にするには次のようにするとよい。即ち、請求項４に記載の発明は、請求項３に記載の椅子の支承体取付構造において、前記係合部材は、略矩形の平板状に形成され、前記係止部材と係合する側がテーパー状に形成されていることを要旨とする。従って、このように構成される本発明においては、係止部材が係合部材を挟持し易くなり、さらに支持枠への支承体の取り付け作業が容易となる。
【００１６】
また、請求項５に記載の発明は、請求項１乃至請求項４の何れか１項に記載の椅子の支承体取付構造において、前記椅子は座跳ね上げ式の椅子とし、前記支承体は前記座板とし、前記三辺側のうちの何れか一辺側の前記係合部材は、該座跳ね上げ式の椅子の前記支持枠を構成する横幅方向に延在する略コの字形の横座枠（後座枠２１）の内向きに突出する折返片（折返片２１ａ）としたことを要旨とする。横座枠は、椅子が座跳ね上げ式の場合には一般的にコの字形に形成されるので、従って、このように構成される本発明においては、係止部材は、他の構成が異なるどのような種類の座跳ね上げ式の椅子にもそのまま対応することができ、極めて使い勝手がよくなり、好適となる。
【図面の簡単な説明】
【００１７】
【図１】本実施形態に係わる椅子１の全体斜視図である。
【図２】本実施形態に係わる椅子１の分解斜視図である。
【図３】本実施形態に係わる座１０単体の四面図である。
【図４】本実施形態に係わる座１０を構成する座板１２とクッション１１が組み付けられた状態の三面図である。
【図５】本実施形態に係わる座板１２単体の四面図である。
【図６】本実施形態に係わる座１０を構成する座枠１３単体の三面図である。
【図７】本実施形態に係わる座板１２と座枠１３の分解斜視図である。
【図８】本実施形態に係わる座支持軸３３にブッシュ４２及びストッパ４５ａ、ｂを取り付ける状態を示す説明図である。
【図９】本実施形態に係わる座板１２を座枠１３に取り付けるときの状態を示す斜視図である。
【図１０】本実施形態に係わる図３（Ａ）の左側の係止片１２ａ付近の拡大Ｃ−Ｃ断面図及び図３（Ａ）の係止片１２ｂ付近の拡大Ｄ−Ｄ断面図である。
【発明を実施するための形態】
【００１８】
１．椅子１の構成
以下に、本発明を実施するための形態を図と共に説明する。まず、図１を参照しながら、椅子１の全体構成について説明する。図１は、椅子１の全体斜視図である。本実施形態の椅子１は、大別すると、使用者が着席する座１０と、背凭れ３と、座１０及び背凭れ３を支持する側部材５とから成っている。
【００１９】
椅子１は、図１に示すように、座１０の後方側が左右の側部材５に回動可能に支持され、椅子１に着席していないときには、座１０を水平状態から自動起立（図１の左の椅子１の状態から右の椅子１の状態に移行）させ、椅子１の前後の間隔を広げることが可能な座跳ね上げ式椅子となっている。また、側部材５は、その固着部６が床や地面にアンカーボルト等で固着され、その上部は肘掛部７となっている。なお、椅子１同士の間に設けられる側部材５は、椅子１両者兼用の側部材５として使用されるようになっている。また、図１では、椅子１は２脚例示したが、この数は限定されるものではない。
【００２０】
次に、本実施形態の要部となる座１０の構成について説明する。図２は、椅子１の分解斜視図である。なお、本図において、座１０を構成するクッション１１、右側の側部材５及び背凭れ３は図示を省略している。また、図３は、座１０単体の四面図、図４は、座１０を構成する座板１２とクッション１１が組み付けられた状態の三面図、図５は、座板１２単体の四面図、図６は、座１０を構成する座枠１３単体の三面図、図７は、座板１２と座枠１３の分解斜視図を示している。
【００２１】
座１０は、クッション１１と、図２に示す座板１２、座枠１３、裏カバー３０とを組み立てることにより構成されるもので、まず、クッション１１の裏面側に組み付けられる座板１２について説明する。座板１２は、合成樹脂等の弾性部材で全体が略矩形状に形成され、図４に示すように、クッション１１の裏面側に該クッション１１を支持するように取り付けられている。
【００２２】
図に示すように、座板１２は、多数の同心円を形成するように円弧状に穿設された複数の溝１４が左右対称状に設けられており、その前端にはクッション１１の前垂れ部１１ａ（図３参照）を支持する下向きの突起板１５が突設されている。なお、図５においては、（Ａ）は、座板１２を表面側から、（Ｂ）は、座板１２を裏面側から、（Ｃ）は、（Ｂ）の右側から、（Ｄ）は、（Ｂ）の後側からそれぞれ見た場合を示し、また、図５（Ａ）〜（Ｃ）では、紙面上方が前、下方が後となる。なお、図４（Ａ）〜（Ｃ）は、図５（Ｂ）〜（Ｄ）に準ずる。
【００２３】
ここで、座板１２の裏面側には、下方に突出する略Ｌ字状の外方向に開口された４つの係止片１２ａ、ｂが、図４、５に示すように、それぞれ左右対称状に配置されて設けられている。これら係止片１２ａ、ｂは、後述する座枠１３の係合突片２０ａ及び折返片２１ａに係止して座板１２を座枠１３に固定する機能を有するもので、係止片１２ａは、座板１２裏面の左右側の前後方向の略中央に一対設けられ、係止片１２ｂは、座板１２裏面の後側に並行状に一対設けられている。
【００２４】
また、座板１２には、図２、７に示すように、係止片１２ａ、ｂと対応する箇所に、略矩形状に切り欠かれた切欠部１６ａ、ｂが穿設されており、つまり係止片１２ａ、ｂは、切欠部１６ａ、ｂの４辺のうちの内側の辺から垂直状に立ち下がる矩形垂直片１８ａと、この矩形垂直片１８ａの下端から外方向に水平状に延在する矩形水平片１８ｂとでＬ字形に形成され、切欠部１６ａ、ｂは、この矩形水平片より一回り大きく形成されている（図４、５及び後述する図１０参照）。なお、図中、１７は、係止片１２ａ、ｂで座板１２を座枠１３に固定した後、タッピングネジ２４（図３、６参照）で座板１２と座枠１３とを締結するための取付孔である。この取付孔１７は、座板１２の前側の左右縁に、略々係止片１２ｂと対向するように穿設されている。
【００２５】
次に、座枠１３の構成について説明する。座枠１３は、図２に示すように、前後方向に延在する一対の側座枠２０と、この一対の側座枠２０を連結する左右方向（椅子１の横幅方向）に延在する前座枠２２及び後座枠２１とで、上下が大きく開口した方形状に形成されており（図６（Ａ）、７参照）、これら座枠１３を構成する側座枠２０、前座枠２２及び後座枠２１は、金属性の材料により形成されている。なお、図６においては、（Ａ）は、座枠１３を表面側から見た場合を示し、（Ｂ）は、（Ａ）のＡ−Ａ断面図、（Ｃ）は、（Ａ）のＢ−Ｂ断面図を示し、また、図６（Ａ）〜（Ｃ）では、紙面上方が前、下方が後となる。なお、図３（Ａ）〜（Ｃ）は、図６（Ａ）〜（Ｃ）に準じ、図３（Ｄ）は、図３（Ａ）の右側面図である。
【００２６】
前座枠２２は、薄い金属板で後座枠２１よりも縦方向に短尺の略コの字状に形成され、その上下に折り返された座枠１３の内方向に向かう折返片２２ａ、ｂの両端には、タッピングネジ２５（図３、６参照）で側座枠２０と固着するための取付孔２３が穿設されている。また、前座枠２２の上角部には、アール面２２ｃが形成されており、このアール面２２ｃは、座板１２の突起板１５の形状に合わせて設けられているものである。
【００２７】
前座枠２２よりも縦方向に長尺の後座枠２１は、前座枠２２と同様に薄い金属板で略コの字状に形成され、その上下に折り返された座枠１３の内方向に向かう折返片２１ａ、ｂの両端には、タッピングネジ２６（図３、６参照）で側座枠２０と締結するための取付孔１９が穿設されている。なお、後座枠２１の上側で折り返された折返片２１ａには、上述した座板１２の係止片１２ｂが係止されるようになっている。
【００２８】
側座枠２０は、前座枠２２及び後座枠２１よりも肉厚の金属板で前方に向かってテーパー状の細長い略台形状に形成され、その前後方向の略中央には、座枠１３の内方向に向かって突出する矩形板状の係合突片２０ａが突設されている。この係合突片２０ａには、上述した座板１２の係止片１２ａが前方側から嵌合して係止されるようになっている。なお、この係合突片２０ａは、係止片１２ａが嵌合し易いように、その前端側がテーパー状に形成されている。
【００２９】
側座枠２０の前側には、座枠１３の内方向に向かって膨出し前座枠２２の端部と嵌合する前座枠取付部２７が形成され、前座枠取付部２７の上下には、前座枠２２の取付孔２３と重合する取付孔２８が穿設されている。また、前座枠取付部２７の下端には、下方後側に向かって段状に延在し、裏カバー３０と係合して該裏カバー３０の前端側を係止する受板２９が形成されている。
【００３０】
また、前座枠取付部２７の後方には、側座枠２０の上端から内方向に向かって突出する矩形板状の固定板３１が突設されており、この固定板３１の中央には、座板１２の取付孔１７と重合しタッピングネジ２４（図３、６参照）で座板１２と座枠１３とを締結するための取付孔３２が穿設されている。
【００３１】
また、固定板３１の後方には、座枠１３の内方向に向かって相対的に上下に幅広状に突出し、後述のコイルスプリング３４の一端側を係止するブラケット３５が突設されている。なお、このブラケット３５は、一方側の側座枠２０のみに設けられる部材であり、他方側の側座枠２０には、ブラケット３５と対向する位置に、座枠１３の内方向に向かって突出し、後述のダンパー３６の一端側を係止するブラケット３７が突設されている（なお、図７においては、ダンパー３６は図示を省略している）。
【００３２】
一方、側座枠２０の後端には、後座枠２１の端部と嵌合する略コの字枠状の後座枠取付部３８が形成され、後座枠取付部３８の上下には、後座枠２１の取付孔１９と重合する取付孔３９が穿設されている。また、後座枠取付部３８の下端前側には、裏カバー３０の後端側をタッピングネジ４０（図３参照）で締結するための固定板４１が形成されている。
【００３３】
また、後座枠取付部３８の前方には、後述する座支持軸３３が貫通すると共に該座支持軸３３を軸受けするブッシュ４２と嵌合する円形の回転孔４３が穿設されている。この回転孔４３は、側座枠２０がブッシュ４２のまわりを回動可能なように該ブッシュ４２と嵌合されている。
【００３４】
また、回転孔４３の周縁には、回転孔４３を挟んで対向するように上側に回転阻止部材４４ａが、下側に回転阻止部材４４ｂが設けられている。この回転阻止部材４４ａ、ｂは、後述する座支持軸３３に取り付けられるストッパ４５ａ、ｂと係合して、座１０の回動角度を規制する部材である。
【００３５】
座支持軸３３は、金属の材料で角パイプ状に形成され、その両端側には、図８に示すように、ストッパ４５ａ、ｂを取り付けるための取付孔５１が穿設されている。なお、図８は、座支持軸３３にブッシュ４２及びストッパ４５ａ、ｂを取り付ける状態を示す説明図である。また、図８において、座支持軸３３の右側の取付孔５１、ブッシュ４２及びストッパ４５ａ、ｂは図示を省略している。
【００３６】
ストッパ４５ａ、ｂは、金属等の材料で形成されており、ストッパ４５ａは座支持軸３３の上側に、ストッパ４５ｂは座支持軸３３の下側に、それぞれ座支持軸３３を跨ぐように設けられている。また、ストッパ４５ａ、ｂには、座支持軸３３の取付孔５１と重合する取付孔５２、雌ネジ孔５０が穿設されており、つまりストッパ４５ａ、ｂは、図８に示すように、取付孔５２、雌ネジ孔５０を介してボルト５３を螺着することにより、座支持軸３３に取り付けられている。
【００３７】
座支持軸３３の左上側に位置するストッパ４５ａには、その右側面側にコイルスプリング３４の後端を回動自在に枢着する掛止部材５７（図２、７参照）が一体的に設けられており、つまりコイルスプリング３４は、その前端を回動可能な左側座枠２０のブラケット３５にナット５８で止着され、その後端を回動不能な座支持軸３３に取り付けられたストッパ４５ａの掛止部材５７に回動自在に止着されている。なお、コイルスプリング３４の後端を掛止部材５７に回動自在に止着するには、例えば、掛止部材５７に取付孔を穿設し、この取付孔にコイルスプリング３４の釣り針状に形成した後端部分を引っ掛けるようにすればよい。
【００３８】
ここで、コイルスプリング３４の後端は、左側座枠２０の回転軸、つまり回転孔４３及び座支持軸３３の中心を通る軸線ＣＬ（図７、８の一点鎖線）よりも上側且つ後側で止着されている。このようにコイルスプリング３４を取り付けることにより、コイルスプリング３４は、図１の右の椅子１に示すように、座１０を跳ね上げて起立させたときに初期状態（コイルスプリング３４が座１０の起立状態を保持するのに必要な程度に僅かに伸張している状態）となり、図１の左の椅子１に示すように、座１０を跳ね上げていない水平のときに付勢状態（コイルスプリング３４が座１０を跳ね上げるのに必要な程度に十分に伸張している状態）となり、これにより常時座１０が起立する付勢力を加えるように付勢部材として機能する。
【００３９】
一方、座支持軸３３の右上側に位置するストッパ４５ａには、その左側面側にダンパー３６の後端を回動自在に枢着する止着部材５９（図２参照）が一体的に設けられており、つまりダンパー３６は、その前端を回動可能な右側座枠２０のブラケット３７に回動自在に止着され、その後端を回動不能な座支持軸３３に取り付けられたストッパ４５ａの止着部材５９に回動自在に止着されている。
【００４０】
ここで、ダンパー３６の後端は、左側座枠２０の回転軸、つまり回転孔４３及び座支持軸３３の中心を通る上記軸線ＣＬよりも下側且つ前側で止着されている。なお、ダンパー３６は、シリンダとピストンロッドからなる油圧式等の周知のダンパー装置であって、本実施形態では、このようにダンパー３６を取り付けることにより、ダンパー３６は、図１の左の椅子１に示すように、座１０を跳ね上げていない水平のときにシリンダからのピストンロッドの突出量が最も短くなり、図１の右の椅子１に示すように、座１０を跳ね上げて起立させたときに、その回転動作に伴って徐々にシリンダからのピストンロッドの突出量が長くなり、これによりコイルスプリング３４の付勢力に抗して座１０を緩やかに跳ね上げるように緩衝部材として機能する。
【００４１】
ブッシュ４２は、樹脂材料で円形状に形成され、その内部に座支持軸３３と同形状の貫通孔５４が穿設されており、つまりブッシュ４２は、この貫通孔５４に座支持軸３３を嵌合して貫通させることにより、座支持軸３３に取り付けられている。また、ブッシュ４２の内側面には、外周方向に突出する２つの係止片５５が、貫通孔５４を挟んで対向するように突設されている（図２、８参照）。この係止片５５は、側座枠２０の回転孔４３にブッシュ４２を嵌合したとき、側座枠２０の側面と当接してブッシュ４２が回転孔４３をすり抜けてしまうのを防止するための部材である。
【００４２】
裏カバー３０は、図２に示すように、開口した座枠１３の下側を閉塞するように合成樹脂等で略矩形状に形成され、その前側両端には、側座枠２０の受板２９と係合する上方に突出した係止片６０と、その後側両端には、側座枠２０の固定板４１とタッピングネジ４０（図３参照）で締結されるボス６１が上方に突設されている。つまり、裏カバー３０は、係止片６０にて受板２９に係合させた状態でボス６１を固定板４１とタッピングネジ４０にて締結することで、側座枠２０に取り付けられるようになっている。
【００４３】
側部材５は、金属性の材料により形成され、図２に示すように、座１０方向に突出した座支持軸３３の端部を受けて該座支持軸３３を嵌合する軸受部材６３が突設されている。また、側部材５は、軸受部材６３に嵌合した座支持軸３３を上方から押さえ込んで、軸受部材６３とで座支持軸３３を挟着するように固定する上板６４と、この上板６４を覆うように軸受部材６３に取り付けられる覆い部材６５とを有している。なお、軸受部材６３、上板６４、覆い部材６５には、それぞれが重合する雌ネジ孔６７、取付孔６８、６９が穿設されており、座支持軸３３は、これら雌ネジ孔６７、取付孔６８、６９をボルト６６で螺着することにより、側部材５に固定されるようになっている。
【００４４】
２．椅子１の組み立て
次に、以上のように構成される椅子１を組み立てる場合について、図２、７〜１０を参照しながら説明する。なお、図９は、座板１２を座枠１３に取り付けるときの状態を示す斜視図、図１０は、図３（Ａ）の左側の係止片１２ａ付近の拡大Ｃ−Ｃ断面図及び図３（Ａ）の係止片１２ｂ付近の拡大Ｄ−Ｄ断面図である。
【００４５】
まず、椅子１を組み立てるには、図８に示すように、座支持軸３３の取付孔５１にストッパ４５ａ、ｂの取付孔５２、雌ネジ孔５０を重ね、この取付孔５１及び取付孔５２、雌ネジ孔５０にボルト５３を螺着することにより、座支持軸３３の両端側にストッパ４５ａ、ｂを取り付ける。そして、ストッパ４５ａ、ｂを取り付けた座支持軸３３両端の外側から、ブッシュ４２を、ブッシュ４２が有する貫通孔５４にて座支持軸３３に嵌合貫通させて座支持軸３３に取り付ける。この際、ブッシュ４２は、その内側面がストッパ４５ａ、ｂの右側面に当接するまで押し込むようにして座支持軸３３に取り付ける。
【００４６】
次に、左側座枠２０の前座枠取付部２７に前座枠２２の左端を嵌合して側座枠２０の取付孔２８に前座枠２２の取付孔２３を重ね、この取付孔２８、２３にタッピングネジ２５（図３、６参照）を螺着することにより、前座枠２２を左側座枠２０に取り付ける。次に、左側座枠２０の後座枠取付部３８に後座枠２１の左端を嵌合して左側座枠２０の取付孔３９に後座枠２１の取付孔１９を重ね、この取付孔３９、１９にタッピングネジ２６（図３、６参照）を螺着することにより、後座枠２１を左側座枠２０に取り付ける。なお、左側座枠２０への前座枠２２及び後座枠２１の組み付け順は、前後してよい。
【００４７】
次に、座支持軸３３に取り付けた左側のブッシュ４２を左側座枠２０の回転孔４３に回動可能に嵌合し、座支持軸３３を左側座枠２０に、その左端が外方向に貫通するように取り付ける。この際、ブッシュ４２の係止片が左側座枠２０の内面に当接するまで押し込むようにして、座支持軸３３を左側座枠２０に取り付ける。なお、座支持軸３３を左側座枠２０に組み付けてから、前座枠２２及び後座枠２１を左側座枠２０に組み付けるようにしてもよい。
【００４８】
次に、上記の組み付け手順に準じて、座支持軸３３を右側座枠２０に取り付け、次に、右側座枠２０に前座枠２２及び後座枠２１を取り付ける。これにより、座枠１３は、ブッシュ４２のまわりを回動可能に座支持軸３３にて軸支されることになる。なお、左側座枠２０よりも先に、右側座枠２０に座支持軸３３、前座枠２２及び後座枠２１を取り付けるようにしてもよい。
【００４９】
また、上述した座枠１３の組み付け手順は、次のようにしてもよい。即ち、左右側座枠２０、前座枠２２及び後座枠２１を組み付けて先ず座枠１３外周の矩形枠体を完成させ、次にブッシュ４２を取り付けた座支持軸３３を左右側座枠２０の回転孔４３に貫通し、最後にストッパ４５ａ、ｂを座支持軸３３に取り付けることで、ブッシュ４２を座支持軸３３に位置固定して回転孔４３に回動可能に嵌合することで、座枠１３を組み付けるようにしてもよい。
【００５０】
次に、コイルスプリング３４を、その後端を左側のストッパ４５ａに設けられた掛止部材５７に座枠１３の回動に伴って回動可能に止着すると共に、その前端を左側座枠２０のブラケット３５にナット５８で回動不能に止着する。次に、ダンパー３６を、その後端を右側のストッパ４５ａに設けられた止着部材５９に座枠１３の回動に伴って回動可能に止着すると共に、その前端を右側座枠２０のブラケット３７に回動可能に止着する。これにより、コイルスプリング３４は掛止部材５７の止着箇所を中心にして、ダンパー３６は止着部材５９の止着箇所を中心にして、回動可能に設けられることになる。なお、座枠１３へのコイルスプリング３４及びダンパー３６の組み付け順は、前後してよい。
【００５１】
次に、クッション１１の裏面側に組み付けられた座板１２を、図９（なお、図９においては、クッション１１は図示を省略している）に示すように、座板１２の左右中央の係止片１２ａ、ｂが座枠１３の係合突片２０ａより前側に位置するように、座板１２を座枠１３に宛がい、矢印Ａに示すように、座板１２を前方から後方にスライドするように移動させる。
【００５２】
すると、図１０（Ａ）に示すように、座板１２の裏面側に下方に突出する外方向に開口されたＬ字形の係止片１２ａ、ｂと座枠１３の係合突片２０ａ及び折返片２１ａとが嵌合し、つまり、矩形水平片１８ｂと座板１２本体との隙間（矩形垂直片１８ａ部分）に係合突片２０ａ及び折返片２１ａが嵌合し、係合突片２０ａ及び折返片２１ａが矩形水平片１８ｂと座板１２本体とで挟着される。
【００５３】
この際、座枠１３に対して座板１２を前方から後方にスライドすると、係止片１２ｂの矩形垂直片１８ａが折返片２１ａに当接し、突起板１５が前座枠２２に当接する。つまり、これら係止片１２ｂ（矩形垂直片１８ａ）及び突起板１５は、座板１２を座枠１３に取り付けるときの座板１２の位置決め手段としての機能を有している。さらに、係合突片２０ａは、係止片１２ａが嵌合し易いように、その前端側がテーパー状に形成されているので、このような構成により、座枠１３は一方向にスライドさせるだけで、極めて容易にワンタッチで座枠１３に取り付けることができる。
【００５４】
次に、係止片１２ａ、ｂに係合突片２０ａ及び折返片２１ａを嵌合すると、座枠１３の固定板３１の取付孔３２と座板１２の取付孔１７とが重合するので、この取付孔３２、１７にタッピングネジ２４（図３、６参照）を螺着することにより、座板１２を座枠１３に締結する。これにより座板１２は座枠１３にしっかりと固定される。
【００５５】
次に、座板１２を座枠１３に固定したら、裏カバー３０の係止片６０を座枠１３の受板２９に係合し、裏カバー３０のボス６１を座枠１３の固定板４１とタッピングネジ４０で締結して、裏カバー３０を座枠１３に取り付ける。これにより、座１０が組み立てられる。なお、座枠１３への座板１２及び裏カバー３０の組み付け順は、前後してよい。
【００５６】
次に、座枠１３に座板１２及び裏カバー３０を組み付けて座１０を組み立てたら、座枠１３から左右に突出している座支持軸３３の両端を側部材５の軸受部材６３に嵌合し、この嵌合した座支持軸３３の上方に上板６４を配置して軸受部材６３とで座支持軸３３を挟み込み、この状態で覆い部材６５を上板６４を覆うように軸受部材６３に宛がって、これら軸受部材６３、上板６４、覆い部材６５の雌ネジ孔６７、取付孔６８、６９を重ねてボルト６６で螺着する。これにより、座１０は側部材５に組み付けられて椅子１の組み立てが完了する。
【００５７】
しかして、使用者が椅子１に着座して座板１２の中心付近に、図１０（Ｂ）に示すように荷重Ｐが印加されると、合成樹脂等の弾性部材で形成され且つ多数の溝１４が穿設されている座板１２は、図１０（Ｂ）の二点鎖線に示すように下方に撓んで変形する。この際、座板１２は、中心付近の撓み量が最も大きいため、全体が座板１２の中心方向に引っ張られるように変形するので、座枠１３の係合突片２０ａ及び折返片２１ａに係止されていた４つの係止片１２ａ、ｂは、その外方向に開口されたＬ字形の形状と、係止片１２ａ、ｂの上方に形成されている切欠部１６ａ、ｂにより、下方向且つ座板１２の中心方向に、座板１２が座枠１３から外れない（座板１２の係止片１２ａ、ｂが設けられている三辺が座枠１３から外れない）程度に移動し、柔軟に保持されるようになっている。
【００５８】
３．本実施形態の効果
（１）本実施形態に係る椅子１は、合成樹脂等の弾性部材から成る支承体としての座板１２の前側一辺をタッピングネジ２４の締結にて座枠１３に固着保持すると共に、残りの左右後側三辺は、座板１２の裏面側から下方に突出するＬ字形の外方向に開口された４つの係止片１２ａ、ｂで、座枠１３の係合突片２０ａ及び折返片２１ａを挟持するように保持することで、座板１２を座枠１３に取り付けるように構成したので、使用者が椅子１に着座して座板１２がその中心方向に引っ張られるように撓曲変形しても、係止片１２ａ、ｂは下方向且つ座板１２の中心方向に座板１２が座枠１３から外れない程度に移動して柔軟に保持されるので、その結果、座板１２前側の座枠１３との締結部分に応力が集中して、この締結部分が破損してしまうことを防止することができる。また、座板１２の弾性変形による柔軟性を十分に発揮でき、快適な着座感を得ることもできる。
【００５９】
（２）係止片１２ａは、座板１２裏面の左右側であって、その前後方向の略中央に一対移動の自由度を保持したまま係合突片２０ａを挟持して設けられているので、荷重により座板１２が撓曲変形しても、座板１２の水平移動に柔軟に追従しつつ、座板１２と座枠１３の密着をある程度保つことができ、その結果、係合突片２０ａに対する支持強度が増し、荷重による座板１２前端の座枠１３との締結部分への負荷をさらに軽減することができると共に、係止片１２ａの耐久性を向上することができる。
【００６０】
（３）座板１２には、係止片１２ａ、ｂの上方に切欠部１６ａ、ｂが穿設されているので、座板１２に荷重が印加されたときの係止片１２ａ、ｂの下方向且つ座板１２の中心方向への移動が容易となり、つまり切欠部１６ａ、ｂは、係止片１２ａ、ｂの移動をスムースにして座板１２の弾性変形を補助する機能を有している。その結果、座板１２の弾性変形による柔軟性をさらに発揮でき、着座感をさらに向上させることができる。
【００６１】
（４）座枠１３に対して座板１２を前方から後方の一方向にスライドさせるだけで、係止片１２ａ、ｂと係合突片２０ａ及び折返片２１ａとを嵌合することができ、しかも、この際、係合突片２０ａの前端側がテーパー状に形成され、且つ係止片１２ｂの矩形垂直片１８ａが折返片２１ａに当接し、突起板１５が前座枠２２に当接するので、つまりこれら係止片１２ｂ（矩形垂直片１８ａ）及び突起板１５が、座板１２を座枠１３に取り付けるときの座板１２の位置決め手段として機能するので、その結果、座枠１３への座板１２の取り付け作業が極めて容易となり、ワンタッチで座板１２を座枠１３に取り付けることが可能になる。
【００６２】
（５）係止片１２ｂは、座枠１３を構成する後座枠２１の折返片２１ａと嵌合するように構成されており、この後座枠２１は、椅子１が座跳ね上げ式の場合には一般的にコの字形に形成されるので、従って、係止片１２ｂは、他の構成が異なるどのような種類の座跳ね上げ式の椅子１にもそのまま対応することができ、極めて使い勝手がよい。
【００６３】
以上、本発明の実施形態に係わる椅子１を図面に基づいて説明してきたが、具体的な構成は実施形態に示したものに限定されるものではなく、本発明の要旨を逸脱しない範囲における変更や追加などがあっても本発明に含まれる。
【００６４】
例えば、上述した実施形態においては、椅子１は座跳ね上げ式椅子として説明したが、これは限定するものではなく、また、支承体は座１０（座板１２）として説明したが、これは背凭れ３（背板）であってもよい。なお、支承体を背凭れ３（背板）とした場合には、座板１２に対応する背板に係止片１２ａ、ｂを、座枠１３に対応する背板の支持枠に係合突片２０ａ及び折返片２１ａを、上記に準じて設けるようにすればよい。
【００６５】
また、座板１２の前端の一辺をタッピングネジ２４にて座枠１３に螺着して固定するようにしたが、この固定手段は、限定することなく、例えば圧着、嵌着、接着等であってもよい。また、係止片１２ａ、ｂや係合突片２０ａの数や位置は、上記した数や位置に限定するものではない。また、座板１２は、クッション１１の前垂れ部１１ａに対応して突起板１５を設けるようにしたが、これは、クッション１１に前垂れ部１１ａのない構成に対応して、突起板１５がない平板状に形成してもよい。
【符号の説明】
【００６６】
１…椅子、  ３…背凭れ、
５…側部材、  ６…固着部、
７…肘掛部、  １０…座、
１１…クッション、  １１ａ…前垂れ部、
１２…座板、  １２ａ、１２ｂ、５５、６０…係止片、
１３…座枠、  １４…溝、
１５…突起板、  １６ａ、１６ｂ…切欠部、
１７、１９、２３、２８、３２、３９、５１、５２、６８、６９…取付孔、
１８ａ…矩形垂直片、  １８ｂ…矩形水平片、
２０…側座枠、  ２０ａ…係合突片、
２１…後座枠、  ２１ａ、２２ａ、２２ｂ…折返片、
２２…前座枠、  ２２ｃ…アール面、
２４、２５、２６、４０…タッピングネジ、  ２７…前座枠取付部、
２９…受板、  ３０…裏カバー、
３１、４１…固定板、  ３３…座支持軸、
３４…コイルスプリング、  ３５、３７…ブラケット、
３６…ダンパー、  ３８…後座枠取付部、
４２…ブッシュ、  ４３…回転孔、
４４ａ、４４ｂ…回転阻止部材、  ４５ａ、４５ｂ…ストッパ、
５０、６７…雌ネジ孔、  ５３、６６…ボルト、
５４…貫通孔、  ５７…掛止部材、
５８…ナット、  ５９…止着部材、
６１…ボス、  ６３…軸受部材、
６４…上板、  ６５…覆い部材。
【図１】
2014042652.tif 000003
【図２】
2014042652.tif 000004
【図３】
2014042652.tif 000005
【図４】
2014042652.tif 000006
【図５】
2014042652.tif 000007
【図６】
2014042652.tif 000008
【図７】
2014042652.tif 000009
【図８】
2014042652.tif 000010
【図９】
2014042652.tif 000011
【図１０】
2014042652.tif 000012